(57)【要約】【課題】２つの照射面に対してムラのない均一な光を照射することができ、且つ空間演色性の高い照明装置、及び当該照明装置が設けられた建物を提供する。【解決手段】光軸に対して平行な面に第１照射面を形成し、且つ、前記光軸に対して直交する面に第２照射面を形成する照明装置であって、前記光軸に対して直交する面に対して平行に配置された基板と、前記基板上に分散して配置された複数の発光素子と、前記発光素子の光出射方向において、前記複数の発光素子の一部のそれぞれに対して設けられた第１光学部材と、前記発光素子の光出射方向において、前記複数の発光素子の残部のそれぞれに対して設けられ、前記発光素子から出射する光を前記第１部光学部材と比して弱く集光し、又は前記発光素子から出射する光を拡散する第２光学部材と、有し、前記第１光学部材は、前記基板上における前記第１照射面と平行な方向の最外両端に配置された前記発光素子に対して少なくとも設けられていること。【選択図】図１
2013187146.tif 000002
【特許請求の範囲】
【請求項１】
光軸に対して平行な面に第１照射面を形成し、且つ、前記光軸に対して直交する面に第２照射面を形成する照明装置であって、
前記光軸に対して直交する面に対して平行に配置された基板と、
前記基板上に分散して配置された複数の発光素子と、
前記発光素子の光出射方向において、前記複数の発光素子の一部のそれぞれに対して設けられた第１光学部材と、
前記発光素子の光出射方向において、前記複数の発光素子の残部のそれぞれに対して設けられ、前記発光素子から出射する光を前記第１部光学部材と比して弱く集光し、又は前記発光素子から出射する光を拡散する第２光学部材と、を有し、
前記第１光学部材は、前記基板上における前記第１照射面と平行な方向の最外両端に配置された前記発光素子に対して少なくとも設けられていることを特徴とする照明装置。
【請求項２】
前記第２光学部材は、前記第１照射面に対して最近傍に配置された前記発光素子に対して設けられていることを特徴とする請求項１に記載の照明装置。
【請求項３】
前記第１光学部材及び前記第２光学部材のそれぞれは、前記光軸に直交し且つ前記第１照射面に平行な第１軸線を挟んで非対称に設けられていることを特徴とする請求項１又は２に記載の照明装置。
【請求項４】
前記第２光学部材は、前記第１軸線によって区画した場合に、前記第１照射面から離れた側の領域に多く設けられていることを特徴とする請求項３に記載の照明装置。
【請求項５】
前記発光素子は、前記基板上の中心部及び外周部において同心円状に配置されていることを特徴とする請求項４に記載の照明装置。
【請求項６】
前記第２光学部材は、前記基板上の中心部に同心円状に配置された前記発光素子の一部であって、前記第１軸線によって区画した場合に、前記第１照射面から離れた側の領域に配置された前記発光素子のそれぞれに対して設けられ、
前記第１光学部材は、前記基板上の中心部に同心円状に配置された前記発光素子の残部のそれぞれに対して設けられていることを特徴とする請求項５に記載の照明装置。
【請求項７】
前記第２光学部材は、前記基板上の外周部に同心円状に配置された前記発光素子の一部であって、前記基板上における前記第１照射面と平行な方向の最外両端に配置された前記発光素子以外の前記発光素子に対して設けられていることを特徴とする請求項６に記載の照明装置。
【請求項８】
前記第１光学部材及び前記第２光学部材のそれぞれは、前記光軸及び前記第１照射面に直交する第２軸線を挟んで対称に設けられていることを特徴とする請求項１乃至７のいずれか１項に記載の照明装置。
【請求項９】
前記第１照射面を壁に形成するとともに、前記第２照射面を床に形成することを特徴とする請求項１乃至８のいずれか１項に記載の照明装置。
【請求項１０】
前記壁と、前記基板上における前記第１照射面と平行な方向の最外両端に配置された前記発光素子同士を結ぶ線分とが平行となる取付方向を示す目印を有することを特徴とする請求項９に記載の照明装置。
【請求項１１】
前記第１光学部材は、狭角レンズ又は中角レンズであり、前記第２光学部材は、広角レンズであることを特徴とする請求項１乃至１０のいずれか１項に記載の照明装置。
【請求項１２】
前記第１光学部材の１／２ビーム角は３０°未満であり、前記第２光学部材の１／２ビーム角は３０°以上であることを特徴とする請求項１１に記載の照明装置。
【請求項１３】
前記発光素子のそれぞれの光軸は、平行であることを特徴とする請求項１乃至１２のいずれか１項に記載の照明装置。
【請求項１４】
請求項１乃至１３のいずれかに記載の照明装置を、建物壁面の近傍の天井に取り付けたことを特徴とする建物。
【発明の詳細な説明】
【技術分野】
【０００１】
本発明は、ＬＥＤ（Light Emitting Diode）等の発光素子を複数備える照明装置、及び当該照明装置が設けられた建物に関する。本発明および本明細書における色名については、ＪＩＳ Ｚ ８１１０：１９９５「色の表示方法−光源色の色名」により定義された色度の色名による。
【背景技術】
【０００２】
従来、一般照明装置として、ＬＥＤ等の発光素子を複数備えたダウンライト、ユニバーサルダウンライト、及びスポットライト等の照明装置が広く用いられており、数多くの改良がなされている。このような照明装置の改良例として、例えば、特許文献１に記載のダウンライトや特許文献２に記載のスポットライトが提案されている。
【０００３】
特許文献１に記載されたダウンライトは、例えば、照明器具のコンパクト化を妨げることなく、実装基板と枠体との間の絶縁距離を伸ばすことができるようにしたものである。また、特許文献２に記載されたスポットライトにおいては、例えば、ＬＥＤの発光面に対向する位置に設置される円錐状のレンズにより、ＬＥＤから当該レンズの反射面に到達した光が、光軸から離れる向きに反射するように構成されている。このような構成により、当該スポットライトにおいては、当該反射面で反射した光のうち、レンズの中央部に設置された出射凹部に向かう光が少なくなるため、出射凹部の径をより大きくすることが可能になる。
【先行技術文献】
【特許文献】
【０００４】
【特許文献１】特開２０１１−２２８１２８号公報
【特許文献２】特開２０１１−１８７１６５号公報
【発明の概要】
【発明が解決しようとする課題】
【０００５】
例えば、従来のように均一な光を床面に照射可能とするダウンライトを、壁面近傍に配置した場合、ダウンライトから出射する光は床面に照射されるだけでなく、ダウンライトに搭載されるＬＥＤが高指向性を有するために、ダウンライトから出射する光は壁面にも照射される。
【０００６】
しかしながら、従来のように均一な光を床面に照射可能とするダウンライトでは、床面のみに均一な光を照射することを考慮して、ＬＥＤに対応して設けられる光学部材等のレンズの光学特性、及びレンズの配置を決定していたため、床面とは異なる面である壁面には均一な光が照射されず、照射面である壁面には、例えばうろこ状のムラ（明暗ムラ）が生じる問題がある。
【０００７】
また、当該問題は、ダウンライトに限定されることなく、所望の一方向に均一な光を照射するユニバーサルダウンライト、スポットライト等の一般的な照明装置においても生じることになる。
【０００８】
本発明はこのような課題に鑑みてなされたものであり、その目的とするところは、２つの照射面に対してムラのない均一な光を照射することができ、且つ空間演色性の高い照明装置、及び当該照明装置が設けられた建物を提供することにある。
【課題を解決するための手段】
【０００９】
上記の目的を達成するべく、本発明の照明装置は、光軸に対して平行な面に第１照射面を形成し、且つ、前記光軸に対して直交する面に第２照射面を形成する照明装置であって、前記光軸に対して直交する面に対して平行に配置された基板と、前記基板上に分散して配置された複数の発光素子と、前記発光素子の光出射方向において、前記複数の発光素子の一部のそれぞれに対して設けられた第１光学部材と、前記発光素子の光出射方向において、前記複数の発光素子の残部のそれぞれに対して設けられ、前記発光素子から出射する光を前記第１部光学部材と比して弱く集光し、又は前記発光素子から出射する光を拡散する第２光学部材と、を有し、前記第１光学部材は、前記基板上における前記第１照射面と平行な方向の最外両端に配置された前記発光素子に対して少なくとも設けられていることを特徴とする。
【００１０】
上述した照明装置において、前記第２光学部材は、前記第１照射面に対して最近傍に配置された前記発光素子に対して設けられていることが好ましい。
【００１１】
上述したいずれかの照明装置において、前記第１光学部材及び前記第２光学部材のそれぞれは、前記光軸に直交し且つ前記第１照射面に平行な第１軸線を挟んで非対称に設けられていることが好ましい。
【００１２】
上述したいずれかの照明装置において、前記第２光学部材は、前記第１軸線によって区画した場合に、前記第１照射面から離れた側の領域に多く設けられていることが好ましい。
【００１３】
上述したいずれかの照明装置において、前記発光素子は、前記基板上の中心部及び外周部において同心円状に配置されていてもよい。
【００１４】
前記発光素子が前記基板上の中心部及び外周部において同心円状に配置されるような照明装置においては、前記第２光学部材は、前記基板上の中心部に同心円状に配置された前記発光素子の一部であって、前記第１軸線によって区画した場合に、前記第１照射面から離れた側の領域に配置された前記発光素子のそれぞれに対して設けられ、前記第１光学部材は、前記基板上の中心部に同心円状に配置された前記発光素子の残部のそれぞれに対して設けられていることが好ましい。
【００１５】
前述の照明装置においては、更に、前記第２光学部材は、前記基板上の外周部に同心円状に配置された前記発光素子の一部であって、前記基板上における前記第１照射面と平行な方向の最外両端に配置された前記発光素子以外の前記発光素子に対して設けられていることが好ましい。
【００１６】
上述したいずれかの照明装置において、前記第１光学部材及び前記第２光学部材のそれぞれは、前記光軸及び前記第１照射面に直交する第２軸線を挟んで対称に設けられていることが好ましい。
【００１７】
上述したいずれかの照明装置において、前記第１照射面を壁に形成するとともに、前記第２照射面を床に形成してもよい。この場合に、当該照明装置が、前記壁と、前記基板上における前記第１照射面と平行な方向の最外両端に配置された前記発光素子同士を結ぶ線分とが平行となる取付方向を示す目印を更に有していてもよい。
【００１８】
上述したいずれかの照明装置において、前記第１光学部材は、狭角レンズ又は中角レンズであり、前記第２光学部材は、広角レンズであることが好ましい。この場合に、前記第１光学部材の１／２ビーム角は３０°未満であり、前記第２光学部材の１／２ビーム角は３０°以上であることがより好ましい。
【００１９】
上述したいずれかの照明装置において、前記発光素子のそれぞれの光軸は、平行であってもよい。
【００２０】
上記の目的を達成するべく、本発明の建物は、上述した照明装置のいずれかを、建物壁面の近傍の天井に取り付けたことを特徴とする。
【発明の効果】
【００２１】
上述した構成とすることにより、本発明である照明装置は、２つの照射面に対してムラのない均一な光を照射することができ、より高い空間演出を行うことができる。
【００２２】
具体的には、第１照射面と平行な方向の最外両端に配置された発光素子に対して設けられた第１光学部材は、他の発光素子に対して設けられた第２光学部材と比較して、発光素子から出射する光を強く集光するため、第１照射面の形成に大きな影響を及ぼすと考えられる当該最外両端に配置された第１光学部材からの出射光は、第１照射面に到達しにくくなる。これにより、第１照射面にはムラのない均一な光が照射されることとなり、第１照射面において明暗ムラが発生しにくくなる。
【００２３】
また、第１照射面が形成される面に対して最近傍に配置された発光素子に対して、第２光学部材が設けられる場合には、第２光学部材からの出射光が第１照射面に広く均一に第１照射面に照射されるため、明暗ムラが少ない第１照射面を容易に形成することができる。
【００２４】
更に、第１軸線によって区画した場合に、第１照射面から離れた側の領域に第２光学部材を多く配置することにより、第１照射面から離れていても第２光学部材からの出射光が第１照射面に広く均一に第１照射面に照射されるため、よりムラのない均一な光が第１照射面に照射されることとなり、第１照射面における明暗ムラの発生がより低減される。
【００２５】
そして、本発明にかかる照明装置には、壁と、基板上における第１照射面と平行な方向の最外両端に配置された発光素子同士を結ぶ線分とが平行となる取付方向を示す目印が更に設けられているため、建物等の天井に当該照明装置を取り付ける際に、照明装置の取り付け方向を間違えることなく確実に行うことができ、上述した照明装置に関する効果を容易且つ確実にもたらすことが可能になる。
【図面の簡単な説明】
【００２６】
【図１】実施例に係るダウンライトの概略を示す斜視図である。
【図２】実施例に係るダウンライトの側面図である。
【図３】実施例に係るダウンライトの正面図である。
【図４】実施例に係るダウンライトを構成するＬＥＤモジュールの正面図である。
【図５】図４の線V-Vに沿ったＬＥＤモジュールの断面図である。
【図６】実施例に係るダウンライトを構成するＬＥＤモジュールの分解図である。
【図７】実施例に係るダウンライトを構成するＬＥＤモジュールのレンズホルダの正面図である。
【図８】図７の線VIII-VIIIに沿ったレンズホルダの断面図である。
【図９】実施例に係るダウンライトを構成するＬＥＤモジュールの第１レンズの正面図である。
【図１０】実施例に係るダウンライトを構成するＬＥＤモジュールの第１レンズの側面図である。
【図１１】図９の線XI-XIに沿った第１レンズの断面図である。
【図１２】実施例に係るダウンライトを構成するＬＥＤモジュールの電気回路図である。
【図１３】実施例に係るダウンライトを取り付けた状態の斜視図である。
【図１４】実施例に係るダウンライトを取り付けた状態の平面図である。
【図１５】図１４と同様にして示した変形例１に係るＬＥＤモジュールの平面図である。
【図１６】図１４と同様にして示した変形例２に係るＬＥＤモジュールの平面図である。
【図１７】図１４と同様にして示した変形例３に係るＬＥＤモジュールの平面図である。
【図１８】図１７における線XVIII-XVIIIに沿った断面図である。
【発明を実施するための形態】
【００２７】
以下、図面を参照し、本発明の実施の形態について、実施例及び各変形例に基づき詳細に説明する。なお、本発明は以下に説明する内容に限定されるものではなく、その要旨を変更しない範囲において任意に変更して実施することが可能である。また、実施例及び各変形例の説明に用いる図面は、いずれも本発明による照明装置を模式的に示すものであって、理解を深めるべく部分的な強調、拡大、縮小、又は省略などを行っており、各構成部材の縮尺や形状等を正確に表すものとはなっていない場合がある。更に、実施例及び各変形例で用いる様々な数値及び数量は、いずれも一例を示すものであり、必要に応じて様々に変更することが可能である。
【００２８】
＜実施例＞
（照明装置の構成）
図１は本発明に係る照明装置としてのダウンライト１の概略を示す斜視図であり、図２は本発明に係る照明装置としてのダウンライト１の側面図であり、図３は、本発明に係る照明装置としてのダウンライト１の正面図である。図１乃至図３に示すように、ダウンライト１は、ＬＥＤ（Light Emitting Diode）モジュール２、及びＬＥＤモジュール２を保持する本体３から構成されている。
【００２９】
ダウンライト１の本体３は、ＬＥＤモジュール２が収納される開口４を備える筐体５と、開口４の外縁に沿って設けられた外枠６と、筐体５を天井等の設置箇所に固定するための３つの固定部材７と、から構成されている。筐体５は、金属又はプラスチック部材からなり、ダウンライト１の使用環境及び使用用途に応じた強度を有している。図１及び図３からわかるように、筐体５の開口４の平面形状は円形状であり、全体的な形状は円柱状である。また、外枠６は、リング状の枠部材から構成され、その材料は金属又はプラスチック部材であり、ダウンライト１の使用環境及び使用用途に応じた強度を有している。図１及び図２に示すように、固定部材７は、筐体５と外枠６との接合部分から外側に向かって延在し、折り曲げられた形状を有するバネ等の弾性体から構成されている。このような固定部材７の構造により、ダウンライト１を天井等の設置箇所に取り付ける際に、当該設置箇所に設けられた開口に固定部材７が嵌着され、ダウンライト１が当該設置箇所に固定されることになる。
【００３０】
なお、ダウンライト１の外観構造は図１乃至図３に示されている形状に限定されることなく、一般的に知られているダウンライトの形状を採用してもよい。すなわち、ＬＥＤモジュール２を収納及び保持することができる本体であれば、上述したような構造に限定されることなく、ダウンライト１の使用環境及び使用用途に応じてその構造を適宜選択することができる。
【００３１】
（ＬＥＤモジュール）
次に、図４乃至図６を参照しつつＬＥＤモジュール２の構造を詳細に説明する。図４は、本実施例のダウンライト１を構成するＬＥＤモジュール２の正面図である。また、図５は、図４の線V-Vに沿ったＬＥＤモジュール２の断面図である。更に、図６は、ＬＥＤモジュール２の分解図である。
【００３２】
図５及び図６に示すように、ＬＥＤモジュール２は、基板１１上に１６個のＬＥＤ１２を設けてなる発光体部１３と、レンズホルダ１４上に６個の第１レンズ１５及び１０個の第２レンズ１６を設けてなる光学体部１７と、をネジ等の接合部材（図示せず）によって接合した構造を有している。なお、第１レンズ１５及び第２レンズ１６を総称して、単にレンズ又は光学部材とも称する。
【００３３】
図４及び図６に示すように、発光体部１３においては、基板１１の中心部上に６個のＬＥＤ１２が同心円状に配置され、これらのＬＥＤ１２を取り囲むように１０個のＬＥＤ１２が同心円状に配置されている。すなわち、６個のＬＥＤ１２が基板１１の中心部に配置され、１０個のＬＥＤ１２が基板１１の外周部に配置されている。換言すれば、基板１１上には、基板１１の表面上の中心から外縁に向かってＬＥＤ１２が散らばって配置、すなわち、ＬＥＤ１２が分散して配置されている。また、基板１１上には外部接続端子１８が設けられ、外部接続端子１８にはＬＥＤ１２に電力を供給するための電力配線が接続されている。なお、ＬＥＤ１２は、基板１１上にパターニングされた配線（図示せず）により、外部接続端子１８に接続されている。ＬＥＤ１２の接続関係については、電気回路図を参照しつつ後述する。また、当該電力配線は、筐体５に設けられた引き出し用の開口（図１乃至図３には図示せず）からダウンライト１の外側に引き出され、所望の外部電源等に接続されている。
【００３４】
基板１１としては、例えば、アルミ材、絶縁層、及び銅箔を順次積層して形成されるアルミ基板、又はその他の金属基板を用いることができる。特に、当該アルミ基板は、熱伝導性、耐熱性、加工性、及び耐電圧性に優れており、ＬＥＤモジュール２の発光特性及び信頼性の向上に寄与する。なお、基板１１は、上述したような金属基板に限られることなく、ガラス基板等の絶縁基板を用いてもよい。この場合には、各ＬＥＤから出射する光がガラス基板を透過することがないように、ガラス基板上に反射層を形成することが好ましい。
【００３５】
本実施例において、ＬＥＤ１２は、ＪＩＳ Ｚ ８１１０：１９９５における色度xが0.3105、色度yが0.3160であり、色温度が約６７００Ｋ（ケルビン）の白色光を出射する発光素子である。具体的には、ＬＥＤ１２は、青色ＬＥＤチップと当該青色ＬＥＤチップを覆う黄色蛍光体材料を有しており、当該青色ＬＥＤチップから出射する青色光によって黄色蛍光体材料を励起させて黄色光を出射し、青色光及び黄色光を合成して白色光（すなわち、合成光）を出射する。なお、このような構成以外にも、ＬＥＤ１２は、近紫外ＬＥＤチップと当該近紫外ＬＥＤチップを覆うＲＧＢ蛍光体材料を有し、当該近紫外ＬＥＤチップから出射する近紫外光によってＲＧＢ蛍光体材料を励起させて青色光、緑色光、及び赤色光を出射し、青色光、緑色光、及び赤色光を合成して白色光を出射するような発光素子であってもよい。更に、ＬＥＤ１２は、赤色ＬＥＤチップ、緑色ＬＥＤチップ、及び青色ＬＥＤチップを有しており、各ＬＥＤチップから出射する赤色光、緑色光、及び青色光を合成して白色光を出射するような発光素子であってもよい。
【００３６】
図４及び図６に示すように、本実施例に係る光学体部１７においては、ＬＥＤ１２のそれぞれに対して１つの光学部材であるレンズが対向するように、レンズホルダ１４に合計１６個のレンズが設けられている。すなわち、レンズホルダ１４の中心部上に６個のレンズが同心円状に配置され、当該６個のレンズを取り囲むように１０個のレンズが同心円状に配置されている。換言すれば、レンズホルダ１４には、レンズホルダ１４の表面上の中心から外縁に向かって１６個のレンズが散らばって配置、すなわち、１６個のレンズが分散して配置されている。本実施例に係る光学体部１７のより具体的な構成としては、レンズホルダ１４の中心部上に設けられた６個のレンズのうちの４個を、出射光の広がりが比較的に小さい狭角レンズ又は中角レンズである第１レンズ１５とし、残りの２個を、出射光の広がりが比較的に大きい広角レンズである第２レンズ１６とする。また、レンズホルダ１４の外周部上に設けられた１０個のレンズのうちの２個を、出射光の広がりが比較的に小さい狭角レンズ又は中角レンズである第１レンズ１５とし、残りの８個を、出射光の広がりが比較的に大きい広角レンズである第２レンズ１６とする。
【００３７】
以下に、図４及び図６を参照しつつ、本実施例に係る光学体部１７における第１レンズ１５と第２レンズ１６とのより具体的な配置関係を説明する。先ず、レンズホルダ１４の外周部上に設けられた２個の第１レンズ１５は、レンズホルダ１４の表面上の中心２１を介して一直線上に並置されている。すなわち、レンズホルダ１４の外周部上に設けられた２個の第１レンズ１５を結ぶ線分２２は、レンズホルダ１４の直径と概ね等しくなる。レンズホルダ１４の外周部上に設けられた８個の第２レンズホルダ１６は、線分２１を挟んで対称に配置されている。また、レンズホルダ１４の外周部上に設けられた８個の第２レンズホルダ１６は、線分２２に直交し且つレンズホルダ１４の表面上の中心２１を通る線分２３を挟んで対称に配置されている。
【００３８】
次に、レンズホルダ１４の中心部上に設けられた４個の第１レンズ１５のうちの２個が、線分２２上に配置される。レンズホルダ１４の中心部上に設けられた４個の第１レンズ１５のうちの残り２個と、レンズホルダ１４の中心部上に設けられた２個の第２レンズ１６とは、線分２２を挟んで対称な位置に配置されているが、その種類が異なっているため、レンズホルダ１４の中心部上に設けられた第１レンズ１５及び第２レンズ１６の配置関係は、線分２２を挟んで非対称になっている。また、レンズホルダ１４の中心部上に設けられた４個の第１レンズ１５のうちの残り２個同士、及びレンズホルダ１４の中心部上に設けられた２個の第２レンズ１６同士は、線分２３を挟んで対称に配置されている。
【００３９】
上述した構成により、各ＬＥＤ１２の光出射方向に第１レンズ１５又は第２レンズ１６のいずれか１つが配置され、１つのＬＥＤと１つのレンズとが対応するように組をなして照射部を構成し、１つのＬＥＤから出射する光は、それに対応する１つのレンズを介して出射することになる。
【００４０】
次に、レンズホルダ１４について、図７及び図８を参照しつつ説明する。図７は、本実施例のダウンライト１を構成するＬＥＤモジュール２のレンズホルダ１４の正面図である。また、図８は、図７の線VIII-VIIIに沿ったレンズホルダ１４の断面図である。
【００４１】
レンズホルダ１４は、透光性を有する部材から構成されており、例えば、透明ガラス基板又は透明プラスチック基板等の透明基板を用いることができる。このような部材をレンズホルダ１４に用いることにより、ＬＥＤ１２から出射する光がレンズホルダ１４で吸収又は反射されることがなくなり、ダウンライト１の光出射面側（すなわち、第１レンズ１５及び第２レンズ１６が配置されている面側）に効率よく照射光を導くことが可能になる。
【００４２】
図７及び図８に示すように、レンズホルダ１４は、ＬＥＤ１２が配置される部分に、第１レンズ１５及び第２レンズ１６の一部分が嵌め込まれるための凹部２４が形成されている。図８に示すように、レンズホルダ１４に形成された凹部２４は、レンズホルダ１４の第１の面１４ａから第２の面１４ｂに向かって、開口径が徐々に小さくなっている。これは、凹部２４の形状を第１レンズ１５及び第２レンズ１６の形状に合わせるためであり、これによってレンズホルダ１４の凹部２４と第１レンズ１５及び第２レンズ１６とが密着することになり、接着材等の接合部材等を用いて第１レンズ１５及び第２レンズ１６をレンズホルダ１４に対して強固に取り付けることが可能になる。
【００４３】
また、図７に示すように、レンズホルダ１４の表面の外周部の所定の位置には、ダウンライト１を天井に取り付ける際に、壁に対する取り付け方向を表す目印２５が設けられている。目印２５は、レンズホルダ１４の表面を加工することによって形成されてもよく、又はレンズホルダ１４の表面上にシールを貼り付けることによって形成されてもよい。本実施例においては、目印２５の形状を三角形としている。従って、ダウンライト１を天井に取り付ける際には、レンズホルダ１４の外周と近接する三角形の頂点が壁を向くようにしてダウンライト１を取り付けることになる。なお、目印２５の位置及び、ダウンライト１の取り付け方法の詳細な説明は後述する。
【００４４】
次に、図９乃至図１１を参照しつつ、第１レンズ１５及び第２レンズ１６について説明する。図９は、本実施例のダウンライト１を構成するＬＥＤモジュール２の第１レンズ１５の正面図である。また、図１０は、本実施例のダウンライト１を構成するＬＥＤモジュール２の第１レンズ１５の側面図である。更に、図１１は、図９の線XI-XIに沿った第１レンズ１５の断面図である。
【００４５】
図９乃至図１１からわかるように、第１レンズ１５は、全体として略半球状の形状を有し、光出射面１５ａ側に複数の単レンズを縦及び横方向に配列した構造を有するフライアイレンズである。また、図１１に示すように、第１レンズ１５は、光入射面１５ｂ側に開口１５ｃが形成されている。そして、開口１５ｃの底面は、凸レンズを形成するように、光入射面１５ｂ側に向けて突出している。発光体部１３及び光学体部１７を接合した状態のＬＥＤモジュール２においては、第１レンズ１５の開口１５ｃと対向するように、ＬＥＤ１２が配置されることになる。
【００４６】
上述したように、第１レンズ１５には、出射光の広がりが比較的に小さい狭角レンズ又は中角レンズである。特に、レンズの１／２のビーム角が３０°未満のレンズを用いることが好ましく、本実施例においては、レンズの１／２ビーム角が２５°の中角レンズを第１レンズ１５として用いている。
【００４７】
第１レンズ１５の原材料としては、例えば、硼珪酸ガラス（ＢＫ７）又は合成石英を用いることができるが、これらに限定されることなく、一般的に使用されている様々なレンズ材料を用いることができる。
【００４８】
第２レンズ１６は、その外形が第１レンズ１５とほぼ同一であって、上述した構造を有するフライアイレンズであるため、図面を用いた第２レンズ１６の構造の説明を省略する。上述したように、第２レンズ１６は、第１レンズ１５とは異なり、広角レンズを用いている。特に、レンズの１／２のビーム角が３０°以上のレンズを用いることが好ましく、本実施例においては、レンズの１／２ビーム角が５０°の広角レンズを第２レンズ１６として用いている。従って、第２レンズ１６は、第１レンズ１５とは異なる光出射特性を有し、第１レンズ１５における集光率よりも、第２レンズにおける集光率の方が低くなっている。換言すれば、第１レンズ１５がＬＥＤ１２から出射された光を集光する場合と比較して、第２レンズ１６はＬＥＤ１２から出射された光を弱く集光することになる。
【００４９】
なお、本実施例においては、第１レンズ１５及び第２レンズ１６を略半球状のフライアイレンズとしていたが、その外形は限定されることなく、例えば、レンズの側面が回転放物面であってもよい。また、本実施例においては、ＬＥＤ１２から出射された光を集光するために、第１レンズ１５及び第２レンズ１６をフライアイレンズとしたが、光を集光することができるフレネルレンズ、又は一般的な両凸レンズ若しくは平凸レンズを用いてもよい。
【００５０】
（電気回路図）
次に、図１２を参照しつつＬＥＤモジュール２の電気回路構成を説明する。図１２は、ＬＥＤモジュール２の電気回路図である。図１２に示すように、ＬＥＤ１２のそれぞれは、２つの外部接続端子１８間において互いに並列に接続されている。より具体的には、ＬＥＤ１２のアノード同士が接続されるとともに、各アノードが外部接続端子１８の一方に共通して接続されている。また、ＬＥＤ１２のカソード同士が接続されるとともに、各カソードが外部接続端子１８の他方に共通して接続されている。
【００５１】
なお、ＬＥＤモジュール２の回路構成は、上述したような並列回路に限られることなく、ＬＥＤ１２のそれぞれを直列に接続した直列回路であってもよい。また、基板１１の中心部上に配置された６個のＬＥＤ１２同士を並列に接続し、基板１１の外周部上に配置された１０個のＬＥＤ１２同士を並列に接続し、当該６個のＬＥＤ１２からなる並列回路と、当該１０個のＬＥＤ１２からなる並列回路とを直列に接続するような複合回路であってもよい。更に、第１レンズ１５に対応するように配置されたＬＥＤ１２同士を並列に接続し、第２レンズ１６に対応するように配置されたＬＥＤ１２同士を並列に接続し、これらの並列回路同士を直列に接続するような複合回路であってもよい。そして、ＬＥＤモジュール２の回路構成は、他の構成の直列回路及び並列回路の組合せからなる複合回路であってもよい。ＬＥＤモジュール２の回路構成は、ダウンライト１である照明装置の使用用途、及び使用状況に応じて適宜選択することができる。
【００５２】
また、ＬＥＤ１２に供給される電流を変化させることにより、ダウンライト１から出射する光を調光してもよい。このような場合には、ＬＥＤモジュール２の内部に電流調整回路を設けてもよく、或いはＬＥＤモジュール２に供給される電流をダウンライト１の外部で調整してもよい。
【００５３】
（照明装置の取り付け）
次に、図１３及び図１４を参照しつつ、本実施例のダウンライト１の取り付け方法、及び本実施例のダウンライト１と壁及び床等の被照射物との位置関係を説明するとともに、当該被照射物にどのような照射面が形成されるかを説明する。図１３は、建物３０内の天井３１に本実施例のダウンライト１を取り付けた状態の斜視図を示す。また、図１４は、建物３０に本実施例のダウンライト１を取り付けた状態を、天井から床に向かって目視した場合の平面図を示す。
【００５４】
図１３に示すように、ダウンライト１は、天井３１、床３２、及び壁３３に囲まれた空間である建物３０の屋内に配置されている。具体的に、ダウンライト１は、光出射面が床面３２ａと平行になるように、建物３０内の天井３１に取り付けられる。すなわち、ダウンライト１の構成部材である基板１１及びレンズホルダ１４が、床面３２ａと平行に位置している。また、ダウンライト１の中心から床３２に向かって延びるダウンライト１自体の光軸４１は、床面３２ａに対して直交している。従って、ダウンライト１から照射される光は床面３２ａに到達し、床３２（床面３２ａ）には照射面４２（請求項１における第２照射面）が形成される。そして、照射面４２が床面３２ａに形成されることから、照射面４２も光軸４１に対して直交していることになる。なお、ＬＥＤ１２のそれぞれの光軸は、互いに平行であって、ダウンライト１自体の光軸４１に対しても平行である。
【００５５】
また、ダウンライト１は、壁３３から近接した位置（例えば、壁３３から４０ｃｍ離間して位置）取り付けられている。本実施例における建物３０においても、一般の建物と同様に、床面３２ａと壁面３３ａとが直交しているため、ダウンライト１の光軸４１は、壁面３３ａに対して平行である。そして、本実施例においては、ダウンライト１が壁３３に近接しているため、ダウンライト１から出射する光の一部は、壁面３３ａに到達し、壁３３（壁面３３ａ）には照射面４３（請求項１における第１照射面）が形成される。そして、照射面４３が壁面３３ａに形成されることから、照射面４３も光軸４１に対して平行になる。なお、ダウンライト１の壁３３からの距離は、ダウンライト１の寸法、並びに搭載される第１レンズ１５及び第２レンズ１６の光学特性に応じて適宜異なってくるが、ダウンライト１から出射される光が壁面３３ａに到達するように設定されることが好ましい。
【００５６】
次に、図１４を参照しつつ、本実施例のダウンライト１を構成する第１レンズ１５及び第２レンズ１６と、壁との位置関係を詳細に説明する。図１４においては、光軸４１と直交し且つ壁面３３ａに平行な軸線を第１軸線４４（破線で示す）と定義し、光軸４１及び壁面３３ａに直交する軸線を第２軸線４５（破線で示す）と定義する。
【００５７】
上述したように、レンズホルダ１４の外周部上には目印２５が設けられている。本実施例においては、目印２５は、図４及び図６における線分２３上であって、レンズホルダ１４の中心部において同心円状に形成された第１レンズ１５に近接する側に設けられている。そして、このように設けられた三角形状の目印２５の頂点のうち、レンズホルダ１４の外縁に近接した頂点が壁３３を向くように、ダウンライト１を天井３１に取り付ける。すなわち、図４及び図６における線分２２が壁面３２ａと平行となるように、換言すると図４及び図６における線分２３が壁面２３ａと直交するように、ダウンライト１が天井３１に取り付けられることになる。上述したようにダウンライト１を天井３１に取り付けることにより、図４及び図６における線分２２が第１軸線４４上に位置し、図４及び図６における線分２３が第２軸線４５上に位置することになる。
【００５８】
図１４に示すように、壁面３３ａに対して平行である第１軸線４４上に配置されている４個のレンズは、中角レンズである第１レンズ１５にとなる。このため、壁面３３ａに対して平行である第１軸線４４の伸張方向の最外両端に配置されている光学部材は、中角レンズである第１レンズ１５となる。換言すると、壁面３３ａと平行な方向に伸びる第１軸線４４上の最外両端に位置するＬＥＤ１２に対して設けられるレンズが、中角レンズである第１レンズ１５となる。
【００５９】
また、レンズホルダ１４を第２軸線４４によって区画した場合、レンズホルダ１４の中心部において同心円状に形成されたレンズのうち、壁面３３ａから離れた側の領域に配置されたレンズが、広角レンズである第２レンズ１６となる。そして、レンズホルダ１４の中心部において同心円状に形成されたレンズの残部（すなわち、壁面３３ａに近接した側のレンズ及び第２軸線４４上のレンズ）が、中角レンズである第１レンズ１５となる。これらのことを換言すると、基板１１上の中心部に同心円状に配置されたＬＥＤ１２を第１軸線４４によって区画した場合に、壁面３３ａから離れた側の領域に配置されたＬＥＤ１２に対して第２レンズ１５が設けられ、壁面３３ａに近接した側のＬＥＤ１２及び第２軸線４４上のＬＥＤ１２である残部に対して第１レンズ１５が設けられている。
【００６０】
更に、レンズホルダ１４の外周部において同心円状に配置されたレンズのうち、第１軸線４４上に配置されていない残りのレンズは、広角レンズである第２レンズ１６となる。従って、図１４において壁面３３ａに対して最近傍に配置されている２つのレンズは、広角レンズである第２レンズ１６である。換言すると、壁面３３ａの最近傍に位置するＬＥＤ１２に対して設けられるレンズが、広角レンズである第２レンズ１６となる。
【００６１】
そして、レンズホルダ１４の中央部において同心円状に配置されたレンズのうち、壁面３３ａから離れた側に配置されたレンズが第２レンズ１６であること、及びレンズホルダ１４の中央部において同心円状に配置されたレンズのうち、第１軸線４４上に配置されていない残りのレンズが第２レンズ１６であることから、レンズホルダ１４を第１軸線４４によって区画すると、壁面３３ａから離れた側の領域には、広角レンズである第２レンズ１６が多く配置されることになる。
【００６２】
図４及び図６を参照し、光学体部１７における第１レンズ１５と第２レンズ１６とのより具体的な配置関係の説明をしたが、図４及び図６における線分２２が第１軸線４４上に位置し、図４及び図６における線分２３が第２軸線４５上に位置することから、ダウンライト１における第１レンズ１５及び第２レンズ１６のそれぞれは、第１軸線４４を挟んで非対称に設けられている。また、ダウンライト１における第１レンズ１５及び第２レンズ１６のそれぞれは、第２軸線４５を介して対称に配置されている。
【００６３】
（本実施例の効果）
上述したように、本実施例のダウンライト１を構成するＬＥＤモジュール２において、第１レンズ１５及び第２レンズ１６は、線分２３及び第２軸線４５を挟んで対称に配置されている。また、ＬＥＤモジュール２全体において、第１レンズ１５及び第２レンズ１６は、線分２２及び第１軸線４４を挟んで対称に配置されていないものの、レンズホルダ１４の外周部において同心円状に配置された第１レンズ１５及び第２レンズ１６は、線分２２及び第１軸線４４を挟んで対称に配置され、非対称である中央部に位置する第１レンズ１５及び第２レンズ１６の数量は４個であり、その他の対称な第１レンズ１５及び第２レンズ１６の数量（１２個）と比較して少ないことから、ダウンライト１の出射光に対して大きな影響を及ぼすことがない。更に、ＬＥＤモジュール２において、中角レンズである第１レンズ１５の大半がレンズホルダ１４の中央部に配置され、広角レンズである第２レンズの大半が、レンズホルダ１４の外周部に配置されている。このような第１レンズ１５及び第２レンズ１６の配置により、床面３２ａにはムラのない均一な光が照射されることとなり、床３２（床面３２ａ）に形成される照射面４２に明暗ムラが発生することはない。
【００６４】
また、本実施例のダウンライト１を構成するＬＥＤモジュール２において、壁面３３ａと平行な方向の第１軸線４４における最外両端に配置されたＬＥＤ１２に対して設けられたレンズが、中角レンズである第１レンズ１５であるため、当該第１レンズ１５から出射する光は、壁面３３ａに到達しにくくなる。ここで、壁面３３ａと平行な方向の第１軸線４４における最外両端に配置されたレンズからの出射光は、壁３３（壁面３３ａ）における照射面４３の形成に大きな影響を及ぼすと考えられるため、このような第１レンズ１５の配置により、壁面３３ａにはムラのない均一な光が照射されることとなり、壁３３（壁面３３ａ）に形成される照射面４３に明暗ムラが発生しにくくなる。
【００６５】
更に、本実施例のダウンライト１を構成するＬＥＤモジュール２において、壁面３３ａに対して最近傍に配置されたＬＥＤ１２に対応して、広角レンズである第２レンズ１６を設けると、第２レンズ１６からの出射光が壁面３３ａに広く均一に壁面３３ａに照射されるため、壁３３（壁面３３ａ）に照射面４３を容易に形成することができる。
【００６６】
そして、本実施例のダウンライト１を構成するＬＥＤモジュール２において、第１レンズ１５及び第２レンズ１６は、線分２３及び第２軸線４５を挟んで対称に配置されていることから、よりムラのない均一な光が壁面３３ａに照射されることとなり、壁面３３ａに形成される照射面４３における明暗ムラの発生がより低減される。
【００６７】
また、本実施例のダウンライト１を構成するＬＥＤモジュール２において、レンズホルダ１４を第１軸線４４によって区画した場合に、壁面３３ａから離れた側の領域に広角レンズである第２レンズ１６を多く配置することにより、壁面３３ａから離れていても第２レンズ１６からの出射光が壁面３３ａに広く均一に壁面３３ａに照射されるため、よりムラのない均一な光が壁面３３ａに照射されることとなり、壁３３（壁面３３ａ）に形成される照射面４３における明暗ムラの発生がより低減される。
【００６８】
上述したことから、本実施例に係るダウンライト１は、壁面３３ａ及び床面３４ａに対してムラのない均一な光を照射して、明暗ムラの少ない照射面４２、４３を同時に形成することができ、より高い空間演出を行うことができる。
【００６９】
また、本実施例のダウンライト１を構成するＬＥＤモジュール２において、レンズホルダ１４には、ダウンライト１の壁３３に対する取り付け方向を示す目印２５が設けられているため、建物３０の天井３１にダウンライト１を取り付ける際に、ダウンライト１の取り付け方向を間違えることなく確実に行うことができ、本実施例のダウンライト１の効果を容易且つ確実にもたらすことが可能になる。
【００７０】
（異なる構成例について）
上述した実施例においては、照明装置としてダウンライトを一例として説明したが、本発明に係る照明装置は、ダウンライト以外にも、スポットライト及びユニバーサルダウンライト等の様々な一般照明装置に適用することができる。
【００７１】
また、上述した実施例においては、ＬＥＤ１２の発光色を色温度が約６７００Ｋ（ケルビン）の白色光としていたが、床及び壁に対して上述したような２つの照射面４２、４３を形成することができれば、これらの発光色に限定されることはない。例えば、ＬＥＤ１２の発光色を色温度が約２７００Ｋ（ケルビン）の電球色の白色光等の色温度の異なる白色光としてもよく、青色、黄赤色、赤色、又は緑色等の有色としてもよい。このように、様々な発光色を有するＬＥＤを選択して用いることができるため、照明装置であるダウンライト１の使用用途及び状況に合わせて色の異なる様々な空間演出を行うことが可能になる。
【００７２】
そして、上述した実施例においては、第１レンズ１５及び第２レンズ１６を集光レンズとしていたが、第２レンズ１６について、第１レンズ１５とは異なる光出射特性とするためには、集光レンズに限定されることなく、拡散レンズとしてもよい。第２レンズ１６を拡散レンズとしても、上述したような本実施例の効果を得ることができる。
【００７３】
更に、上述した実施例において、ＬＥＤ１２及びこれらに対して設けられた光学部材であるレンズは、それぞれ同心円状に配置されていが、このような配置構成に限定されることなく、例えば、同一の楕円の円周状に配置してもよい。また、複数のＬＥＤ１２を基板１１上に均一又はランダムに分布させ、第１レンズ１５及び第２レンズ１６をＬＥＤ１２に対応するように設けてもよい。このような場合であっても、壁面３３ａと平行な方向の第１軸線４４における最外両端に配置されたＬＥＤ１２に対して設けられるレンズを中角レンズである第１レンズ１５とすることにより、壁３３に形成される照射面４３の明暗ムラを低減することができる。また、壁面３３ａに対して最近傍に配置されたＬＥＤ１２に対して広角レンズである第２レンズ１６を設けることにより、壁面３３ａに照射面４３を容易に形成することができる。更に、レンズホルダ１４を第１軸線４４によって区画した場合に、壁面３３ａから離れた側の領域に広角レンズである第２レンズ１６を多く配置することにより、壁面３３ａに形成される照射面４３における明暗ムラの発生をより低減することができる。
【００７４】
また、上述した実施例においては、レンズホルダ１４に目印２５が設けられていたが、ダウンライト１を構成する他の部材であって、容易に目視することができる部材（例えば、筐体５又は外枠６）に目印２５を設けてもよい。
【００７５】
そして、上述した実施例においては、ダウンライト１を建物３０の屋内に設置した場合を想定していたが、本発明に係る照明装置は、屋内に限定されることなく屋外に設置してもよい。
【００７６】
＜変形例１＞
第１レンズ１５及び第２レンズ１６と壁３３との配置関係は、上述したような実施例に係るものに限られることなく、他の配置関係であっても、上述した実施例に係る効果を得ることができる。以下において、図１５を参照しつつ、上述した実施例とは異なる、第１レンズ１５及び第２レンズ１６と壁３３との配置関係を説明する。図１５は、図１３と同様にして示した変形例１に係るＬＥＤモジュール２の正面図である。なお、本変形例においては、第１レンズ１５及び第２レンズ１６が設けられる位置のみが上述した実施例と異なるため、上述した実施例と同一の部材には同一の符号を付し、その説明を省略する。
【００７７】
図１４と図１５とを比較することによってわかるように、本変形例に係るＬＥＤモジュール２においては、レンズホルダ１４の中央部に設けられるレンズの全てが、中角レンズである第１レンズ１５であり、その他のレンズ配置は上述した実施例と同一である。従って、上述した実施例とほぼ同一の構成であるため、上述した実施例と同様の効果を得ることができる。
【００７８】
具体的には、本変形例１のＬＥＤモジュール２において、第１レンズ１５及び第２レンズ１６は、第２軸線４５を挟んで対称に配置されている。また、第１レンズ１５及び第２レンズ１６は、第１軸線４４を挟んで対称に配置されている。更に、ＬＥＤモジュール２において、中角レンズである第１レンズ１５の大半がレンズホルダ１４の中央部に配置され、広角レンズである第２レンズ１６が、レンズホルダ１４の外周部に配置されている。このような第１レンズ１５及び第２レンズ１６の配置により、床面３２ａにはムラのない均一な光が照射されることとなり、床面３２ａにおいて形成される照射面４２（図１３参照）に明暗ムラが発生することはない。
【００７９】
また、本変形例１のＬＥＤモジュール２において、壁面３３ａと平行な方向の第１軸線４４における最外両端に配置されたＬＥＤ１２に対して設けられるレンズが、中角レンズである第１レンズ１５であるため、第１レンズ１５から出射する光は、壁面３３ａに到達しにくくなる。ここで、壁面３３ａと平行な方向の第１軸線４４における最外両端に配置されたレンズからの出射光は、壁面３３ａにおける照射面４３（図１３参照）の形成に大きな影響を及ぼすと考えられるため、このような第１レンズ１５の配置により、壁面３３ａにはムラのない均一な光が照射されることとなり、壁面３３ａにおいて形成される照射面４３に明暗ムラが発生しにくくなる。
【００８０】
更に、本変形例１のＬＥＤモジュール２において、壁面３３ａに対して最近傍に配置されたＬＥＤ１２に対応して、広角レンズである第２レンズ１６を設けると、第２レンズ１６からの出射光が壁面３３ａに広く均一に壁面３３ａに照射されるため、壁面３３ａにおいて照射面４３（図１３参照）を容易に形成することができる。
【００８１】
そして、本変形例１のＬＥＤモジュール２において、第１レンズ１５及び第２レンズ１６は、第２軸線４５を挟んで対称に配置されていることから、よりムラのない均一な光が壁面３３ａに照射されることとなり、壁面３３ａにおいて形成される照射面４３（図１３参照）における明暗ムラの発生がより低減される。
【００８２】
上述したことから、本変形例１に係るダウンライト１は、壁面３３ａ及び床面３４ａに対してムラのない均一な光を照射して、明暗ムラの少ない照射面４２、４３（図１３参照）を同時に形成することができ、より高い空間演出を行うことができる。
【００８３】
また、本変形例１のＬＥＤモジュール２において、レンズホルダ１４には、ダウンライト１の壁３３に対する取り付け方向を示す目印２５が設けられているため、建物３０の天井３１にダウンライト１を取り付ける際に、ダウンライト１の取り付け方向を間違えることなく確実に行うことができ、ダウンライト１の効果を容易且つ確実にもたらすことが可能になる。
【００８４】
＜変形例２＞
第１レンズ１５及び第２レンズ１６と壁３３との配置関係は、上述したような実施例及び変形例１に係るものに限られることなく、他の配置関係であっても、上述した実施例に係る効果を得ることができる。以下において、図１６を参照しつつ、上述した実施例及び変形例１とは異なる、第１レンズ１５及び第２レンズ１６と壁３３との配置関係を説明する。図１６は、図１３と同様にして示した変形例２に係るＬＥＤモジュール２の正面図である。なお、本変形例においては、第１レンズ１５及び第２レンズ１６が設けられる位置のみが上述した実施例と異なるため、上述した実施例と同一の部材には同一の符号を付し、その説明を省略する。
【００８５】
図１４と図１６とを比較することによってわかるように、本変形例に係るＬＥＤモジュール２においては、レンズホルダ１４の中央部において同心円状に設けられたレンズのうち、壁面３３ａに近い側に位置するレンズが広角レンズである第２レンズ１６であり、壁面３３ａから離れる側に位置するレンズが中角レンズである第１レンズ１５であり、その他のレンズ配置は上述した実施例と同一である。すなわち、レンズホルダ１４の中央部において同心円状に配置されたレンズが、第１軸線４４を基準として入れ替わっている。従って、上述した実施例とほぼ同一の構成であるため、上述した実施例と同様の効果を得ることができる。
【００８６】
具体的には、本変形例２のＬＥＤモジュール２において、第１レンズ１５及び第２レンズ１６は、第２軸線４５を挟んで対称に配置されている。また、ＬＥＤモジュール２全体において、第１レンズ１５及び第２レンズ１６は、第１軸線４４を挟んで対称に配置されていないものの、レンズホルダ１４の外周部において同心円状に配置された第１レンズ１５及び第２レンズ１６は、第１軸線４４を挟んで対称に配置され、非対称である中央部に位置する第１レンズ１５及び第２レンズ１６の数量は４個であり、その他の対称な第１レンズ１５及び第２レンズ１６の数量（１２個）と比較して少ないことから、ダウンライト１の出射光に対して大きな影響を及ぼすことがない。更に、ＬＥＤモジュール２において、中角レンズである第１レンズ１５の大半がレンズホルダ１４の中央部に配置され、広角レンズである第２レンズ１６が、レンズホルダ１４の外周部に配置されている。このような第１レンズ１５及び第２レンズ１６の配置により、床面３２ａにはムラのない均一な光が照射されることとなり、床面３２ａにおいて形成される照射面４２（図１３参照）に明暗ムラが発生することはない。
【００８７】
また、本変形例２のＬＥＤモジュール２において、壁面３３ａと平行な方向の第１軸線４４における最外両端に配置されたＬＥＤ１２に対して設けられるレンズが、中角レンズである第１レンズ１５であるため、第１レンズ１５から出射する光は、壁面３３ａに到達しにくくなる。ここで、壁面３３ａと平行な方向の第１軸線４４における最外両端に配置されたレンズからの出射光は、壁面３３ａにおける照射面４３の形成に大きな影響を及ぼすと考えられるため、このような第１レンズ１５の配置により、壁面３３ａにはムラのない均一な光が照射されることとなり、壁面３３ａにおいて形成される照射面４３（図１３参照）に明暗ムラが発生しにくくなる。
【００８８】
更に、本変形例２のＬＥＤモジュール２において、壁面３３ａに対して最近傍に配置されたＬＥＤ１２に対応して、広角レンズである第２レンズ１６を設けると、第２レンズ１６からの出射光が壁面３３ａに広く均一に壁面３３ａに照射されるため、壁面３３ａにおいて照射面４３（図１３参照）を容易に形成することができる。
【００８９】
そして、本変形例２のＬＥＤモジュール２において、第１レンズ１５及び第２レンズ１６は、第２軸線４５を挟んで対称に配置されていることから、よりムラのない均一な光が壁面３３ａに照射されることとなり、壁面３３ａにおいて形成される照射面４３（図１３参照）における明暗ムラの発生がより低減される。
【００９０】
上述したことから、本変形例２に係るダウンライト１は、壁面３３ａ及び床面３４ａに対してムラのない均一な光を照射して、明暗ムラの少ない照射面４２、４３（図１３参照）を同時に形成することができ、より高い空間演出を行うことができる。
【００９１】
また、本変形例２のＬＥＤモジュール２において、レンズホルダ１４には、ダウンライト１の壁３３に対する取り付け方向を示す目印２５が設けられているため、建物３０の天井３１にダウンライト１を取り付ける際に、ダウンライト１の取り付け方向を間違えることなく確実に行うことができ、ダウンライト１の効果を容易且つ確実にもたらすことが可能になる。
【００９２】
＜変形例３＞
第１レンズ１５及び第２レンズ１６の数量や、第１レンズ１５及び第２レンズ１６と壁３３との配置関係は、上述したような実施例及び変形例１、２に係るものに限られることなく、他の数量及び構成であってもよい。以下において、図１７及び図１８を参照しつつ、上述した実施例、変形例１及び変形例２に係るＬＥＤモジュール２とは異なるＬＥＤモジュールを変形例３として説明する。ここで、図１７は、図１３と同様にして示した変形例３に係るＬＥＤモジュール１０２の正面図であり、図１８は、図１７の線XVIII−XVIIIに沿った断面図である。
【００９３】
図１７及び図１８からわかるように、ＬＥＤモジュール１０２は、基板１１１上に８個のＬＥＤ１１２を設けてなる発光体部１１３と、レンズホルダ１１４上に４個の第１レンズ１１５及び４個の第２レンズ１１６を設けてなる光学体部１１７と、をネジ等の接合部材（図示せず）によって接合した構造を有している。
【００９４】
発光体部１１３においては、基板１１１の中心部上に１個のＬＥＤ１１２が配置され、当該１個のＬＥＤ１１２を取り囲むように７個のＬＥＤ１１２が同心円状に配置されている。すなわち、１個のＬＥＤ１１２が基板１１１の中心部に配置され、７個のＬＥＤ１１２が基板１１１の外周部に配置されている。また、基板１１１上には外部接続端子１１８が設けられ、外部接続端子１１８にはＬＥＤ１１２に電力を供給するための電力配線が接続されている。なお、ＬＥＤ１１２は、基板１１１上にパターニングされた配線（図示せず）により、外部接続端子１１８に接続されている。
【００９５】
基板１１１は上述した実施例の基板１１と同一部材からなり、ＬＥＤ１１２は上述した実施例のＬＥＤ１２と同一であり、レンズホルダ１１４は上述した実施例のレンズホルダ１４と同一であり、第１レンズ１１５は上述した実施例の第１レンズ１５と同一であり、第２レンズ１１６は上述した実施例の第２レンズ１６と同一であるため、その詳細な説明は省略する。
【００９６】
図１７に示すように、ＬＥＤ１１２のそれぞれに対して１つのレンズが対向するように、レンズホルダ１１４に合計８個のレンズが設けられている。すなわち、レンズホルダ１１４の中心部に１個のレンズが配置され、当該１個のレンズを取り囲むように７個のレンズが同心円状に配置されている。本変形例に係る光学体部１１７のより具体的な構成としては、レンズホルダ１１４の中心部に設けられた１個のレンズを、出射光の広がりが比較的に小さい狭角レンズ又は中角レンズである第１レンズ１１５とする。また、レンズホルダ１１４の外周部上に設けられた７個のレンズのうちの３個を、出射光の広がりが比較的に小さい狭角レンズ又は中角レンズである第１レンズ１１５とし、残りの４個を、出射光の広がりが比較的に大きい広角レンズである第２レンズ１１６とする。
【００９７】
また、本変形例に係るＬＥＤモジュール１０２を備えるダウンライトの取り付け方法は、上述した実施例と同様であるため、上述した実施例と同様にして、床及び壁に対して照射面が形成される。すなわち、図１３に示されているような照射面が床及び壁に形成されることになる。
【００９８】
次に、図１７を参照しつつ、本変形例に係るＬＥＤモジュール１０２を構成する第１レンズ１１５及び第２レンズ１１６と、壁との位置関係を詳細に説明する。図１７においては、ＬＥＤモジュール１０２自体の光軸と直交し且つ壁面１３３ａに平行な軸線を第１軸線１４４（破線で示す）と定義し、ＬＥＤモジュール１０２自体の光軸及び壁面１３３ａに直交する軸線を第２軸線１４５（破線で示す）と定義する。
【００９９】
上述した実施例と同様に、レンズホルダ１１４の外周部上には目印１２５が設けられている。本変形例においては、目印１２５は、レンズホルダ１１４の外周部において隣接して並んだ第２レンズ１１６から等間隔の位置に設けられている。そして、このように設けられた三角形状の目印の頂点のうち、レンズホルダ１１４の外縁に近接した頂点が壁１３３を向くように、本変形例に係るＬＥＤモジュール１０２を備えるダウンライトを天井に取り付ける。
【０１００】
図１７に示すように、壁面１３３ａに対して平行である第１軸線１４４上に配置されている３個のレンズは、中角レンズである第１レンズ１１５にとなる。すなわち、壁面１１３３ａに対して平行である第１軸線１４４の伸張方向の最外両端に配置されている光学部材は、中角レンズである第１レンズ１１５である。換言すると、壁面１３３ａと平行な方向に伸びる方向の最外両端に位置するＬＥＤ１１２に対して設けられるレンズが、中角レンズである第１レンズ１１５となる。
【０１０１】
また、レンズホルダ１１４の外周部において同心円状に配置されたレンズのうち、第１軸線１４４上に配置されていない残りのレンズのうち、１個が中角レンズである第１レンズ１１５であり、４個が広角レンズである第２レンズ１１６である。そして、図１７において壁面１３３ａに対して最近傍に配置されている２つのレンズは、広角レンズである第２レンズ１１６である。換言すると、壁面３３ａの最近傍に位置するＬＥＤ１１２に対して設けられるレンズが、広角レンズである第２レンズ１１６となる。更に、図１７において壁面１３３ａに対して最遠方に配置されているレンズは、中角レンズである第１レンズ１１５である。換言すると、壁面１３３ａの最遠方に位置するＬＥＤ１１２に対して設けられるレンズが、中角レンズである第１レンズ１１５となる。
【０１０２】
上述したように、本変形例に係るＬＥＤモジュール１０２において、第１レンズ１１５及び第２レンズ１１６は、第２軸線１４５を挟んで対称に配置されている。また、ＬＥＤモジュール１０２において、中角レンズである第１レンズ１１５のうちの１個がレンズホルダ１４の中央部に配置され、残りの３個がレンズホルダ１４の外周部に配置され、広角レンズである第２レンズ１１６がレンズホルダ１１４の外周部に配置されている。すなわち、レンズホルダ１１４の中央部には中角レンズである第１レンズ１１５のみが配置され、レンズホルダ１１４の外周部には、広角である第２レンズが多く配置されている。このような第１レンズ１１５及び第２レンズ１１６の配置により、床面１３２ａにはムラのない均一な光が照射されることとなり、床面１３２ａにおいて形成される照射面に明暗ムラが発生することはない。
【０１０３】
また、本変形例に係るＬＥＤモジュール１０２において、壁面１３３ａと平行な方向の最外両端に配置されたＬＥＤ１１２に対して設けられるレンズが中角レンズである第１レンズ１１５であるため、第１レンズ１１５から出射する光は、壁面１３３ａに到達しにくくなる。ここで、壁面１３３ａと平行な方向の最外両端に配置されたレンズからの出射光は、壁面１３３ａにおける照射面の形成に大きな影響を及ぼすと考えられるため、このような第１レンズ１１５の配置により、壁面１３３ａにはムラのない均一な光が照射されることとなり、壁面１３３ａにおいて形成される照射面に明暗ムラが発生しにくくなる。
【０１０４】
更に、本変形例に係るＬＥＤモジュール１０２において、壁面１３３ａに対して最近傍に配置されたＬＥＤ１１２に対応して、広角レンズである第２レンズ１１６を設けると、第２レンズ１１６からの出射光が壁面１３３ａに広く均一に壁面１３３ａに照射されるため、壁面１３３ａにおいて照射面を容易に形成することができる。
【０１０５】
そして、本変形例に係るＬＥＤモジュール１０２において、第１レンズ１１５及び第２レンズ１１６は、第２軸線１４５を挟んで対称に配置されていることから、よりムラのない均一な光が壁面１３３ａに照射されることとなり、壁面１３３ａに形成される照射面における明暗ムラの発生がより低減される。
【０１０６】
上述したことから、本変形例に係るＬＥＤモジュール１０２を備えるダウンライトは、壁面１３３ａ及び床面１３４ａに対してムラのない均一な光を照射して、明暗ムラの少ない２つの照射面を同時に形成することができ、より高い空間演出を行うことができる。
【０１０７】
また、本変形例に係るＬＥＤモジュール１０２において、レンズホルダ１１４には、ダウンライトの壁１３３に対する取り付け方向を示す目印２５が設けられているため、建物の天井に当該ダウンライトを取り付ける際に、当該ダウンライトの取り付け方向を間違えることなく確実に行うことができ、当該ダウンライトの効果を容易且つ確実にもたらすことが可能になる。
【符号の説明】
【０１０８】
１    ダウンライト（照明装置）
２、１０２    ＬＥＤモジュール
３    本体
４    開口
５    筐体
６    外枠
７    固定部材
１１、１１１    基板
１２、１１２    第１ＬＥＤ（発光素子）
１３、１１３    発光体部
１４、１１４    レンズホルダ
１５、１１５    第１レンズ（第１光学部材）
１５ａ    光出射面
１５ｂ    光入射面
１５ｃ    開口
１６、１１６    第２レンズ（第２光学部材）
１７、１１７    光学体部
１８、１１８    外部接続端子
２５、１２５    目印
３０    建物
３１    天井
３２    床
３２ａ、１３２ａ    床面
３３、１３３    壁
３３ａ、１３３ａ    壁面
４１      光軸
４２、４３    照射面
４４、１４４    第１軸線
４５、１４５    第２軸線
【図１】
2013187146.tif 000003
【図２】
2013187146.tif 000004
【図３】
2013187146.tif 000005
【図４】
2013187146.tif 000006
【図５】
2013187146.tif 000007
【図６】
2013187146.tif 000008
【図７】
2013187146.tif 000009
【図８】
2013187146.tif 000010
【図９】
2013187146.tif 000011
【図１０】
2013187146.tif 000012
【図１１】
2013187146.tif 000013
【図１２】
2013187146.tif 000014
【図１３】
2013187146.tif 000015
【図１４】
2013187146.tif 000016
【図１５】
2013187146.tif 000017
【図１６】
2013187146.tif 000018
【図１７】
2013187146.tif 000019
【図１８】
2013187146.tif 000020